(57)【特許請求の範囲】
【請求項１】
遊技状態に応じて第１位置を該第１位置よりも下方の第２位置との間で往復移動可能な可動部材と、前記可動部材を往復移動させるための駆動機構と、前記可動部材が前記駆動機構を介して取り付けられるベース部材とから構成される可動演出装置を備えた遊技機において、
一端が前記ベース部材に固定されると共に、他端が前記第１位置と前記第２位置との間で前記第１位置を除いて前記第１位置よりも下方にある係止位置で前記可動部材に設けられた係止部に係止されることにより該可動部材を前記第２位置から前記第１位置に移動させる方向に付勢する付勢バネが設けられ、
前記可動部材が前記第１位置と前記係止位置より上方の位置との間にある場合には、前記可動部材の係止部に前記付勢バネの他端が係止されないことにより該付勢バネによる付勢力が該可動部材に作用しない一方、前記可動部材が前記第１位置から前記第２位置に移動するのに伴って前記第１位置を除く該可動部材の係止部が前記付勢バネの他端に係止される前記係止位置に移動することにより該付勢バネによる付勢力が該可動部材に作用するように構成したことを特徴とする遊技機。
【請求項２】
前記可動部材は、該可動部材の係止部に前記付勢バネの他端が係止されないことにより該付勢バネの付勢力が作用しない範囲で移動する第１の移動範囲と、前記付勢バネの付勢力が作用する範囲も含めて移動する第２の移動範囲が少なくとも含まれるように移動されることを特徴とする請求項１に記載の遊技機。
【請求項３】
前記可動部材が前記第１位置と前記係止位置より上方の位置との間にある場合において、前記付勢バネによる付勢力が該可動部材に作用しない範囲で、前記可動部材を前記駆動機構により往復移動させるようにしたことを特徴とする請求項２に記載の遊技機。
【請求項４】
前記駆動機構は、前記ベース部材に設けられるモータと、該モータの回転を伝達するギヤと、前記可動部材に設けられ前記ギヤに噛み合うラックとから構成されると共に、前記付勢バネによる付勢力が前記可動部材に作用しない範囲で該可動部材を前記駆動機構により往復移動させる距離が、前記ギヤの歯部と前記ラックの歯部とのバックラッシの範囲内であることを特徴とする請求項３に記載の遊技機。
【請求項５】
前記付勢バネの他端には凸部が突出形成されると共に、前記ベース部材には、前記可動部材が前記第１位置にある際の前記付勢バネの他端の凸部に当接して、前記可動部材の係止部が前記第１位置と前記係止位置より上方の位置との間に位置する際に、前記付勢バネの付勢力が作用しない状態に保持する当接部が突出形成されていることを特徴とする請求項１から４のいずれか一項に記載の遊技機。
【発明の詳細な説明】
【技術分野】
【０００１】
本発明は、パチンコ遊技機などの遊技機に関し、更に詳しくは、遊技の進行状況に応じて可動部材を移動させて遊技を演出する可動演出装置が設けられた遊技機に関するものである。
【背景技術】
【０００２】
従来、この種の可動演出装置としては、可動部材を鉛直方向（上下方向）に移動させる場合に、可動部材自体の重さに起因する下方向への荷重を軽減するようにコイルバネ等の付勢バネを用いる構成のものがある。
【０００３】
例えば、下記特許文献１の図１０には、昇降動作し得る照明ユニット（可動部材）２５と、照明ユニット２５を昇降作動させる昇降作動装置７４が記載されている。この場合、昇降作動装置７４は、平行リンク機構Ｌと、平行リンク機構Ｌに昇降移動力を付与する駆動機構としての電気モータＭ、駆動ギヤ７１、回転作動部材６９、回動部材７０および作動バー部材８７を備えている。そして、この昇降作動装置７４は、このような駆動機構による上昇力を補助する上昇力補助機構としてのコイルバネ（付勢バネ）７６，７７を備えている。
【先行技術文献】
【特許文献】
【０００４】
【特許文献１】特開２００６−２２３６５９号公報
【発明の概要】
【発明が解決しようとする課題】
【０００５】
しかしながら、このような可動演出装置に付勢バネを設けたものは、その付勢バネの付勢力が、可動部材の上昇時・下降時に限らず常時作用する構成となっている。そのため、最も大きな駆動力が必要される可動部材の下方への動きだしの際にも、その可動部材に付勢バネによる上方への付勢力が作用してしまい、駆動機構の駆動力（モータ等の駆動性能）の低減を図ることが難しく、付勢部材を含めた可動演出装置全体の耐久性を低下してしまうという問題があった。
【０００６】
そこで、本発明は、駆動機構による可動部材の下方の動きだしの際に、その可動部材に付勢バネによる付勢力を作用させないことにより、耐久性を向上させることが可能な可動演出装置を備えた遊技機を提供することを目的とする。
【課題を解決するための手段】
【０００７】
上記課題を解決するために本発明は、遊技状態に応じて第１位置を該第１位置よりも下方の第２位置との間で往復移動可能な可動部材と、前記可動部材を往復移動させるための駆動機構と、前記可動部材が前記駆動機構を介して取り付けられるベース部材とから構成される可動演出装置を備えた遊技機において、一端が前記ベース部材に固定されると共に、他端が前記第１位置と前記第２位置との間で前記第１位置を除いて前記第１位置よりも下方にある係止位置で前記可動部材に設けられた係止部に係止されることにより該可動部材を前記第２位置から前記第１位置に移動させる方向に付勢する付勢バネが設けられ、前記可動部材が前記第１位置と前記係止位置より上方の位置との間にある場合には、前記可動部材の係止部に前記付勢バネの他端が係止されないことにより該付勢バネによる付勢力が該可動部材に作用しない一方、前記可動部材が前記第１位置から前記第２位置に移動するのに伴って前記第１位置を除く該可動部材の係止部が前記付勢バネの他端に係止される前記係止位置に移動することにより該付勢バネによる付勢力が該可動部材に作用するように構成したことを要旨とするものである。
【０００８】
上記構成を有する遊技機によれば、可動部材が前記第１位置と前記係止位置より上方の位置との間にあるときには、付勢バネによる付勢力が可動部材に作用しないため、最も大きな駆動力が必要される可動部材の第１位置から第２位置に向けての動きだしをスムーズにすることが可能である。つまり、駆動機構による可動部材の第１位置から第２位置に向けての動きだしの際には、付勢バネによる反対方向（第２位置から第１位置への方向）への付勢力が作用しない構成になっているので、付勢バネを含めた可動演出装置全体の耐久性を向上させることが可能である。
【０００９】
この場合、前記可動部材は、該可動部材の係止部に前記付勢バネの他端が係止されないことにより該付勢バネの付勢力が作用しない範囲で移動する第１の移動範囲と、前記付勢バネの付勢力が作用する範囲も含めて移動する第２の移動範囲が少なくとも含まれるように移動される構成にすると良い。このような構成によれば、このような可動部材の第１の移動範囲と第２の移動範囲を組み合わせた種々なる移動範囲内の移動の態様において、可動演出装置の耐久性を向上することが可能である。
【００１０】
また、前記可動部材が前記第１位置と前記係止位置より上方の位置との間にある場合において、前記付勢バネによる付勢力が該可動部材に作用しない範囲で、前記可動部材を前記駆動機構により往復移動させるようにした構成にすると良い。このような構成によれば、可動部材に付勢バネによる付勢力が作用することを抑制して可動演出装置の耐久性を向上させつつ、付勢バネによる付勢力が可動部材に作用しない範囲で、可動部材を駆動機構により往復移動させることで、可動演出装置による様々な演出効果を奏することができ遊技性を高めることが可能である。
【００１１】
更に、前記駆動機構は、前記ベース部材に設けらるモータと、該モータの回転を伝達するギヤと、前記可動部材に設けられ前記ギヤに噛み合うラックとから構成されると共に、前記付勢バネによる付勢力が前記可動部材に作用しない範囲で該可動部材を前記駆動機構により往復移動させる距離が、前記ギヤの歯部と前記ラックの歯部とのバックラッシの範囲内である構成にすると良い。このような構成によれば、ギヤやラックの歯部の摩耗（消耗）を低減しつつ、可動部材を移動させることができる。
【００１２】
そして、前記付勢バネの他端には凸部が突出形成されると共に、前記ベース部材には、前記可動部材が前記第１位置にある際の前記付勢バネの他端の凸部に当接して、前記可動部材の係止部が前記第１位置と前記係止位置より上方の位置との間に位置する際に、前記付勢バネの付勢力が作用しない状態に保持する当接部が突出形成されている構成にすると良い。このような構成によれば、付勢バネの凸部とベース部材の当接部によって可動部材の第１位置と付勢部材による付勢力が作用する開始位置である係止位置より上方の位置との間に所定の間隔を適宜設定することが簡便な構成で可能になっている。
【発明の効果】
【００１３】
本発明に係る遊技機によれば、駆動機構による可動部材の第１位置から第２位置に向けての動きだしの際には、付勢バネによる反対方向（第２位置から第１位置への方向）への付勢力が作用しない構成になっているので、付勢バネを含めた可動演出装置全体の耐久性を向上させることが可能である。
【図面の簡単な説明】
【００１４】
【図１】本発明の一実施形態に係る遊技機の一例を示した正面図である。
【図２】図１の遊技機が備える遊技盤の正面図である。
【図３】センター役物が備えるセンターベースと可動演出装置の正面図である。
【図４】図３の可動演出装置が動作する前の状態を示した正面図である。
【図５】センターベースおよび可動演出装置を前面側から視た外観斜視図である。
【図６】（ａ）は第１可動部材の第１可動部と駆動機構を背面側から視た外観斜視図、（ｂ）は駆動機構を前面側から視た外観斜視図である。
【図７】第１可動部材の第１可動部と駆動機構を前面側から視た分解斜視図である。
【図８】第１可動部材の第１可動部と駆動機構を背面側から視た分解斜視図である。
【図９】第１可動部材の第２可動部を前面側から視た外観斜視図である。
【図１０】第１可動部材の第２可動部を背面側から視た外観斜視図である。
【図１１】第１可動部材が第１位置にある状態を示した側面図である。
【図１２】第１可動部材が第１位置から下方に動きだした状態を示した側面図である。
【図１３】第２可動部が第５位置にある状態を示した側面図である。
【図１４】第１可動部が第２位置にある状態を示した側面図である。
【図１５】第１可動部が第１姿勢から第２姿勢に変位した状態を示した側面図である。
【図１６】図１４の第１可動部が第２位置にある状態を前面側から視た外観斜視図である。
【図１７】図１５の第１可動部が第１姿勢から第２姿勢に変位した状態を前面側から視た外観斜視図である。
【発明を実施するための形態】
【００１５】
以下、本発明に係る遊技機の実施の形態について図面を参照して詳細に説明する。図１は本発明の実施形態に係る遊技機を示した正面図である。図示されるように、遊技機１はパチンコ遊技機である。
【００１６】
この遊技機１には、所要の奥行きを有する額縁形状に形成された機枠２を備えており、その機枠２の前面側には、左側縁が軸着されて前方に開閉可能に前面枠３が取り付けられ、その前面枠３に対して左側縁が軸着されて前面側に開閉可能に形成されたガラス枠４が取り付けられている。
【００１７】
尚、以下の説明においては、遊技機１の前面とは、遊技機１の正面側（遊技者が遊技を行う側）のことであり、遊技機１の裏面或いは後方とは遊技機１の背面側のことである。また遊技機１の左側、右側、上側、下側とは、遊技機１を正面側（遊技者側）から視た場合の左側、右側、上側、下側のことである。また、遊技機１を構成する各種部材においても、表側、裏側、前面側、後側等という場合、特に断りがない限り、遊技機１に装着された状態での表側、裏側、前面側、後側方向等である。
【００１８】
図１に示されるように、ガラス枠４には、遊技盤５の位置にガラス板またはプラスチック板等の透明板が嵌め込まれており、この透明板を通して前面側から遊技盤５の遊技領域６を視認可能である。また、ガラス枠４には、遊技領域６へ発射するための遊技球を入れる上皿ユニット７が一体的に形成されている。上皿ユニット７には、貯留されている遊技球を下皿ユニット８に流下させるための上皿操作部９等が設けられている。また、ガラス枠４の上部左右両側には、スピーカ１０，１０が設けられている。
【００１９】
図１に示されるように、前面枠３のガラス枠４の下方には、左側縁が軸着されて前面枠３に対して開閉可能な下皿ユニット８が組み付けられている。また、前面枠３の右下には、遊技球を発射操作するためのタッチスイッチを備える発射ハンドル１２が設けられている。下皿ユニット８は、払い出された遊技球のうち上皿ユニット７に入りきらない遊技球を貯めることが可能である。下皿ユニット８には、遊技球を下方に落下させるための下皿操作部１３等が設けられている。
【００２０】
図２は図１の遊技盤５を示す正面図である。遊技盤５は、ほぼ正方形の合板により成形されており、前面枠３に着脱可能に取り付けられている。この遊技盤５には、発射装置から発射された遊技球をガイドするための金属製の薄板からなる帯状の内側ガイドレール１４および外側ガイドレール１５が略円弧形状に立設されており、このガイドレール１４，１５によって遊技領域６の外郭の一部が形成されている。
【００２１】
図２に示されるように、遊技盤５の遊技領域６には、その中心線上において上から順に、遊技状況に応じた演出を行うことが可能な遊技演出装置としての表示装置１７、電動チューリップからなる始動入賞装置１８、長方形の開口部を開閉可能に覆っている蓋からなるアタッカー形式の特別入賞装置１９、アウト口２０が配置されている。また、遊技領域６には、流下する遊技球が衝突することにより遊技球の流下態様に変化を与える障害物としての図示しない遊技釘が複数立設されている。遊技領域６を流下する遊技球は、遊技釘に衝突したときの条件に応じて様々な態様に変化して流下される。
【００２２】
このような遊技機１においては、発射ハンドル１２の操作により発射装置から遊技領域６に遊技球を発射すると、遊技球が遊技領域６の表面を転動しながら落下し、その遊技球が始動入賞装置１８、特別入賞装置１９等の入賞装置に入ると、所定数の賞球遊技球が、払い出されるように構成されている。
【００２３】
尚、特に図示しないが、遊技機１の背面側には、枠用外部端子基板、表示制御基板、主制御基板、音声制御基板、ランプ制御基板、払出制御基板、発射制御基板、電源基板等の各種基板や、カードインターフェース接続部、球タンク、タンクレール、屈曲樋、球切れ検出スイッチ、球払出装置，球排出樋、発射装置等の遊技機構成部材が設けられている。
【００２４】
表示装置１７としては、液晶表示パネルが適用されており、その矩形状の表示画面（表示部１７ａ）において種々なる図柄等が表示されるようになっている。この表示部１７ａの前面の周囲には、遊技の装飾効果（遊技演出効果）を高めるためのセンター役物３０が配設されている。センター役物３０は、前面側装飾部材４０や可動演出装置５０などを備えている。前面側装飾部材４０は、遊技盤５の前面側に設けられており、その略中央には表示部１７ａを視認可能な開口部４０ａが形成され、表示部１７ａの周囲を装飾している。
【００２５】
可動演出装置５０は、表示部１７ａの上側に配置された第１可動部材６０と、表示部１７ａの下側に配置された第２可動部材７０を備えている。第１可動部材６０は、後述する駆動機構（第１駆動機構）によって上下に往復移動可能となっており、龍の顔の目から上顎にかけての部分を模した形状を有する第１可動部６１と、この第１可動部６１の前面側に配置され、龍の顔のおでこから頭頂にかけての部分を模した形状を有する第２可動部６２と、第１可動部６１の背面の左右両側に配置され、羽根を模した形状を有する左右一対の変位部材６３，６３を備えている。
【００２６】
また、第２可動部材７０は、龍の顔の下顎から首元にかけての部分を模した形状を有しており、図３に示されるようなモータ７１やギヤ７２などを備える駆動機構（第２駆動機構）によって上下に往復移動可能になっている。尚、このような第２可動部材７０を移動させる駆動機構としては、ラック＆ピニオンやスライドレールなどを備えた種々なる昇降機構などが適用可能であり、その詳細についての説明は省略し、以下では主に第１可動部材６０とその駆動機構（第１駆動機構）について詳細に説明する。
【００２７】
図２および図４に示されるように、第１可動部材６０が備える第１可動部６１、第２可動部６２および変位部材６３，６３は、前面側装飾部材４０の上側に設けられたカバー体４０ｂの背面側に隠れるように配置される待機位置（第１位置Ｐ１）と、図２および図３に示されるように、前面側装飾部材４０の開口部４０ａ内、つまり表示部１７ａの上辺からその前面側に現れる（露出される）ように配置される露出位置（第２位置Ｐ２）との間を往復移動されるようになっている。
【００２８】
また、図２および図４に示されるように、第２可動部材７０は、前面側装飾部材４０の下側に設けられたカバー体４０ｃの背面側に隠れるように配置される待機位置（第３位置Ｐ３）と、図２および図３に示されるように、前面側装飾部材４０の開口部４０ａ内、つまり表示部１７ａの下辺からその前面側に現れる（露出される）ように配置される露出位置（第４位置Ｐ４）との間を往復移動されるようになっている。このように、第１可動部材６０と第２可動部材７０を表示部１７ａ上で移動させることで、表示部１７ａによる表示演出と第１可動部材６０および第２可動部材７０による駆動演出を併せて行うことが可能になっている。
【００２９】
尚、第１可動部６１は、第１位置Ｐ１と第２位置Ｐ２の間を移動可能に構成されているが、第２可動部６２は、第１位置Ｐ１と、その第１位置Ｐ１と第２位置Ｐ２との間の途中位置である第５位置Ｐ５との間を移動可能に構成されている。
【００３０】
例えば、入賞装置に遊技球が入賞して遊技状態が変化して、遊技機１に備えられる制御回路等から可動演出装置５０を駆動させる命令が発生すると、第１可動部材６０が備える第１可動部６１および第２可動部６２は、図２に示されるようなカバー体４０ｂの背面側に隠れるように配置される待機位置（第１位置Ｐ１）から、前面側装飾部材４０の開口部４０ａ内に徐々に現れ（露出され）ながら、第１可動部６１は第２位置Ｐ２に、第２可動部６２は第５位置Ｐ５にそれぞれ移動させられると共に、変位部材６３，６３も第１可動部６１の移動に伴って変位させられるようになっている。また、このとき、第２可動部材７０は、図２に示されるようなカバー体４０ｃの背面側に隠れるように配置される待機位置（第３位置Ｐ３）から、前面側装飾部材４０の開口部４０ａ内に徐々に現れ（露出され）ながら第４位置Ｐ４に移動させられるようになっている。
【００３１】
図３および図４は、センター役物３０が備えるセンターベース４１と、このセンターベース４１に取り付けられた可動演出装置５０の正面図を示している。尚、図３および図４においては遊技盤５、前面側装飾部材４０の記載は省略されている。
【００３２】
図示されるように、センターベース４１は、可動演出装置５０などの部材を取り付けるための枠体状の部材である。尚、前面側装飾部材４０は遊技盤５の前面側に装着され、センターベース４１は遊技盤５の背面側に装着されるようになっており、遊技盤５は前面側装飾部材４０とセンターベース４１との間に挟み込まれるように配設されるように構成されている。
【００３３】
センターベース４１は、表示装置１７の表示部１７ａの周囲を囲むように形成されており、その中央部分には、表示部１７ａを視認可能にするための開口部４１ａが設けられている。この場合、開口部４１ａの背面側に表示装置１７は取り付けられるようになっている。また、センターベース４１の前面側は、前面側装飾部材４０にその背面側から光を照射するＬＥＤ（発光ダイオード）が複数実装されたＬＥＤ基板（図示せず）などの各種部材を取り付けたり収納したりするための額縁状の枠体として形成されている。
【００３４】
図４に示されるように待機状態では、可動演出装置５０が備える第１可動部材６０（第１可動部６１、第２可動部６２および変位部材６３，６３）は、センターベース４１の矩形状の開口部４１ａの上辺（表示部１７ａの上辺）よりも上側に配設され、可動演出装置５０が備える第２可動部材７０は、センターベース４１の開口部４１ａの下辺（表示部１７ａの下辺）よりも下側に配設されている。
【００３５】
図５は、センターベース４１および第２可動部６２が省略された可動演出装置５０を前面側から視た外観斜視図を示している。図６（ａ）は、第１可動部６１と駆動機構を背面側から視た外観斜視図、図６（ｂ）は駆動機構を前面側から視た外観斜視図を示している。また、図７は、第１可動部６１と駆動機構を前面側から視た分解斜視図、図８は、第１可動部６１と駆動機構を背面側から視た分解斜視図である。更に、図９は、第２可動部６２とフレーム部材６９を前面側から視た外観斜視図、図１０は、第２可動部６２とフレーム部材６９を背面側から視た外観斜視図である。
【００３６】
図１１〜図１５は、可動演出装置５０の動作の手順を順に示した側面図である。この場合、図１１は、第１可動部材６０が第１位置Ｐ１にある状態および第２可動部材７０が第３位置Ｐ３にある状態を示した側面図、図１２は、第１可動部材６０が第１位置Ｐ１から下方に動きだして係止位置ＰＫにある状態および第２可動部材７０が第３位置Ｐ３から上方に動き出した状態を示した側面図、図１３は、第２可動部６２が第５位置Ｐ５にある状態を示した側面図である。図１４は、第１可動部６１が第２位置Ｐ２にある状態を示した側面図である。図１５は、第１可動部６１が第１姿勢Ｓ１から第２姿勢Ｓ２に変位した状態および第２可動部材７０が第４位置Ｐ４にある状態を示した側面図である。
【００３７】
また、図１６は、図１４の第１可動部６１が第２位置Ｐ２にある状態を前面側から視た外観斜視図、図１７は、図１５の第１可動部６１が第１姿勢Ｓ１から第２姿勢Ｓ２に変位した状態を前面側から視た外観斜視図である。
【００３８】
先ず、図５〜図８を用いて、第１可動部材６０が備える第１可動部６１とこれを上下に往復移動させるための駆動機構について説明する。
【００３９】
図７および図８に示されるように、龍の顔の目から上顎にかけての部分を模した形状を有する第１可動部６１には、その上端にヒンジ部６１ａ，６１ａが後方に向かって突出形成されている。このヒンジ部６１ａ，６１ａは、第１可動部６１の背面に配される可動ベース部６４の同じく上端に形成されたヒンジ用ピン６４ａ，６４ａに回動自在に係止されるようになっている。したがって、第１可動部６１は、ヒンジ部６１ａ，６１ａを介して可動ベース部６４に取り付けられており、図１４および図１５に示されるように、可動ベース部６４に対して平行な第１姿勢Ｓ１と可動ベース部６４に対して下側が開くように傾斜した第２姿勢Ｓ２との間で変位可能に構成されている。
【００４０】
この場合、第１可動部６１の上端に設けられたバネ係止片６１ｂと、同じく可動ベース部６４の上端に設けられたバネ係止片６４ｂとの間は、コイルバネ（付勢部材）６７の両端部によって連結されている。したがって、図１１〜図１４に示されるような第１可動部６１に外力が加わらない状態では、第１可動部６１はコイルバネ６７の引っ張り力によって可動ベース部６４に対して平行な第１姿勢Ｓ１に保持されている。
【００４１】
このような可動ベース部６４（第１可動部６１）は、ベース部材６５、スライド部材６６、モータ８１などによって、上下に往復移動（昇降移動）可能になっている。ベース部材６５は横長の略長方形状を有しており、センターベース４１の上方にネジ止め等によって取り付けられるようになっている。このベース部材６５には、駆動機構として、モータ８１やモータ８１の駆動によって回転動される複数のギヤなどが取り付けられている。
【００４２】
図６（ａ），（ｂ）、図７および図８に示されるようにモータ８１は、ベース部材６５の前面の右上部にネジ止めによって取り付けられて、その駆動軸８１ａがベース部材６５の背面側に突出するように配されている。図８に示されるように、モータ８１の駆動軸８１ａには、駆動ギヤ８２ａが一体回転可能に固定されている。また、ベース部材６５に背面には、駆動ギヤ８２ａに噛み合う伝達ギヤ８２ｂ、伝達ギヤ８２ｂに噛み合う連結ギヤ８２ｃが回転自在に設けられている。
【００４３】
図７および図８に示されるように、モータ８１の左下には、連結ギヤ８３ａと、連結ギヤ８３ａに噛み合う伝達ギヤ８３ｂと、伝達ギヤ８３ｂに噛み合うピニオン８３ｃが回転自在に設けられたギヤボックス８３が取り付けられるようになっている。この場合、図８に示されるように、ベース部材６５に背面側に配される連結ギヤ８２ｃとベース部材６５の前面側に配される連結ギヤ８３ａは、連結ピン８２ｄによって一体回転可能に連結されている。したがって、モータ８１の駆動軸８１ａの回転動によって、駆動ギヤ８２ａ、伝達ギヤ８２ｂ、連結ギヤ８２ｃ、連結ギヤ８３ａおよび伝達ギヤ８３ｂを介してピニオン８３ｃが回転駆動されるようになっている。
【００４４】
図６（ａ）および図７に示されるように、ベース部材６５の前面側の中央には、縦長の略長方形状を有するスライド部材６６が上下にスライド（移動）可能に取り付けられるようになっている。
【００４５】
図７および図８に示されるように、このスライド部材６６の右側面には、上下方向に複数の歯部が並設された配されたラック部６６ａが形成されており、上述したピニオン８３ｃがこのラック部６６ａに噛み合うように構成されている。したがって、モータ８１が駆動することで、スライド部材６６はピニオン８３ｃを介してベース部材６５に対して上下に移動することが可能になっている。
【００４６】
図７および図８に示されるように、スライド部材６６の前面側の左半分には、上下方向に沿うように、ピニオン６６ｂ、ピニオン６６ｂに噛み合う伝達ギヤ６６ｃ、伝達ギヤ６６ｃに噛み合うピニオン６６ｄが回転自在に取り付けられている。一番上に配されるピニオン６６ｂは、ベース部材６５の前面の中央よりやや左側に設けられたラック部６５ａに噛み合うように配されており、ラック部６５ａに沿ってピニオン６６ｂが回転動することにより、伝達ギヤ６６ｃを介して一番下のピニオン６６ｄが回転動するように構成されている。
【００４７】
図８に示されるように、可動ベース部６４の背面には、上下方向に複数の歯部が並設された配されたラック部６４ｃが形成されており、上述したスライド部材６６に設けられたピニオン６６ｄがこのラック部６４ｃに噛み合うように構成されている。
【００４８】
したがって、モータ８１が駆動することにより、可動ベース部６４（第１可動部６１）は、図１１〜図１５に示されるように、スライド部材６６を介してベース部材６５に対して上下方向に往復移動可能になっている。尚、このようなモータ８１としては、ステッピングモータが用いられており、駆動ギヤ８２ａを正転方向に所定角度回転させたり、その正転方向とは反対の反転方向に所定角度回転させたりすることが可能になっている。これにより可動ベース部６４（第１可動部６１）を所定のストロークで上下方向に往復移動させることができるようになっている。このモータ８１は、遊技機１が備える制御回路等と図示しないケーブルを介して電気的に接続されており、制御回路等によってモータ８１の回転駆動が制御可能となっている。
【００４９】
図６（ａ）および図８に示されるように、スライド部材６６の背面には、後方に向かって突出した位置検出用突起部６６ｅが形成されている。この位置検出用突起部６６ｅは、図６（ａ），（ｂ）、図７および図８に示されるように、ベース部材６５の前面の中央に上下に延びるように開口された溝部６５ｂに挿入可能になっている。この場合、溝部６５ｂの上端には、背面に取り付けられた初期位置検出センサ９２の対向検出部９２ａ，９２ａが溝部６５ｂを幅方向で挟むように配置されており、この対向検出部９２ａ，９２ａの間に位置検出用突起部６６ｅが受容可能になっている。
【００５０】
初期位置検出センサ９２の対向検出部９２ａ、９２ａの内部には、図示しない位置検出素子が内蔵されている。これら一対の位置検出素子は、相互間で信号（例えば赤外線）を送受信することが可能になっている。このような対向検出部９２ａ，９２ａによる信号の送受信は、上述した位置検出用突起部６６ｅによって遮ることが可能になっている。
【００５１】
このようなスライド部材６６の位置検出用突起部６６ｅが、対向検出部９２ａ，９２ａの間に配置されることにより、対向検出部９２ａ，９２ａによる信号の送受信が不能となるので、この状態を初期位置（原点または基準位置）として、モータ８１を所定角度回転させることで、スライド部材６６を上下方向に所定距離で往復移動させることが可能になっている。これにより、可動ベース部６４（第１可動部６１）を、再現性良く上下方向に所定距離（第１位置Ｐ１と第２位置Ｐ２の間の距離）で往復移動させることが可能になっている。
【００５２】
図６（ｂ）および図７に示されるように、ベース部材６５の前面には、そのモータ８１の左側（ギヤボックス８３の上側）の箇所に、付勢バネ６８の円筒状の一端６８ａを回転自在に位置決め固定する固定部６５ｃが前方に向かって突出形成されている。この付勢バネ６８は、ゼンマイ状の定荷重バネと呼ばれるもので、通常のコイルバネとは違って、バネのストロークを長くしても引っ張り荷重がほぼ変わらない特性を有するバネである。この付勢バネ６８は、上述した駆動機構によって第１可動部材６０（第１可動部６１、可動ベース部６４、第２可動部６２など）を上方へ移動させる際の上昇力（駆動力）を補助するためのものである。
【００５３】
この場合、付勢バネ６８の他端（下端）６８ｂには、図６（ａ）、図８および図１１に示されるように、縦長の略長方形状を有する取付板６８ｃが、その上端に設けられた固定ピン６８ｄを介して取付固定されている。この取付板６８ｃの中央には、縦長の長円形状を有するスライド孔６８ｅが開口形成されている。また、図示されるように、可動ベース部６４の背面の所定の位置には、取付板６８ｃのスライド孔６８ｅの上下の長さよりも短い間隔で上下に配された一対の係止ピン６４ｅ，６４ｅを有した係止部材６４ｄが取付固定されている。
【００５４】
この取付板６８ｃの背面の所定の位置には、後方に突出した凸部６８ｆが形成されている。これに対応して、図６（ｂ）、図７および図１１に示されるように、ベース部材６５、この場合、ギヤボックス８３の前面の所定の位置には前方に向かって突出した当接部８３ｄが形成されている。この当接部８３ｄは、図１１に示されるように、可動ベース部６４（第１可動部６１）が第１位置Ｐ１にある場合に、付勢バネ６８の他端６８ｂに固定された取付板６８ｃの凸部６８ｆに上側から当接して、その付勢バネ６８のストロークを自然長よりも長い状態に保持するためのものである。
【００５５】
図５、図７、図８、図１４および図１５に示されるように、第１可動部６１の上端の中央には、前方に向かって突出した第１連結部６１ｃが形成されている。この第１連結部６１ｃは、後述する第２可動部６２に設けられた第２連結部６２ａに上方から当接することが可能であると共に（図１４および図１５参照）、第２可動部６２に設けられた第３連結部６２ｂに下方から当接することが可能に構成されている（図１１〜図１３参照）。
【００５６】
図７および図８に示されるように、羽根を模した形状を有する一対の変位部材６３，６３は左右対称の形状を有している。図示されるように、変位部材６３，６３は、その内側の下端に設けられたピン６３ａ，６３ａが、可動ベース部６４の背面の左右両側の所定に位置に設けられたピン係止孔６４ｆ，６４ｆにそれぞれ回動自在に取り付けられるようになっている。また、変位部材６３，６３は、その外側の上端から更に外側に延びるように設けられたアーム部６３ｂ，６３ｂの先端の円筒状の取付部６３ｃ，６３ｃが、ベース部材６５の左右両側から下方に向かって延設された垂下部６５ｄ，６５ｄに設けられたピン６５ｅ，６５ｅにそれぞれ回動自在に取り付けられるようになっている。したがって、変位部材６３，６３は、可動ベース部６４（第１可動部６１）の上下の移動に伴って、開いたり閉じたりするように変位可能に構成されている。
【００５７】
次に、龍の顔のおでこから頭頂にかけての部分を模した形状を有する第２可動部６２について説明する。この第２可動部６２は、上述した可動ベース部６４（第１可動部６１）を上下に移動させる駆動機構によって直接的に移動するのではなく、第１可動部６１に載せられた状態でその第１可動部６１と共に上下に移動（追動）する構成になっている。
【００５８】
図９および図１０に示されるように、第２可動部６２は、フレーム部材６９に上下に移動可能に取り付けられている。フレーム部材６９は、縦長の長方形状を有するガイド部６９ａと、このガイド部６９ａの上方の右側から右方向に延設されると共に更に後方に延設された取付アーム部６９ｂを備えており、取付アーム部６９ｂの先端が、センターベース４１の右上方にネジ止め等によって取付固定されるようになっている。この場合、図１１に示されるように、第２可動部６２は、第１可動部６１に接触しないように、フレーム部材６９によってその第１可動部６１の前面側に配置されるようになっている。
【００５９】
図１０および図１１に示されるように、フレーム部材６９のガイド部６９ａには、縦長の長円形状を有するスライド孔６９ｃが開口形成されている。また、図示されるように、第２可動部６２の背面の所定の位置には、ガイド部６９ａのスライド孔６９ｃの上下の長さよりも短い間隔で上下に配された一対の係止ピン６２ｄ，６２ｄを有した係止部材６２ｃが取付固定されている。この係止部材６２ｃの下端には第２連結部６２ａが後方に向かって突出するように形成され、上端には第３連結部６２ｂが後方に向かって突出するように形成されている。この場合、図１１〜図１５に示されるように、係止部材６２ｃの第２連結部６２ａと第３連結部６２ｂとの間のスペースに、第１可動部６１の第１連結部６１ｃが配されるように構成されている。
【００６０】
図１１に示されるような第１可動部６１および第２可動部６２が第１位置Ｐ１にある場合には、第２可動部６２の第３連結部６２ｂが第１可動部６１の第１連結部６１ｃの上側に載った状態に保持されている。そして、図１２に示されるように、第１可動部６１がこの第１位置Ｐ１から下方に移動しても、第２可動部６２の第３連結部６２ｂが第１可動部６１の第１連結部６１ｃの上側に載った状態に保持されているので、第２可動部６２はその自重によって第１可動部６１の下方への移動に追従するように下方へと移動することが可能になっている。また、更に第１可動部６１が下方へ移動すると、図１３に示されるように、第２可動部６２の係止部材６２ｃの下側の係止ピン６２ｄが、ガイド部６９ａのスライド孔６９ｃの下端に当接することで、この位置（第５位置Ｐ５）から第２可動部６２の更に下方への移動が規制されるようになっている。
【００６１】
次に、図１１〜図１５を用いて、上述した可動演出装置５０の動作の手順について説明する。図１１は、第１可動部材６０（第１可動部６１および第２可動部６２）が最上点位置である第１位置Ｐ１にある状態と、第２可動部材７０が最下点位置である第３位置Ｐ３にある状態を示している。
【００６２】
このとき、付勢バネ６８の他端６８ｂ（取付板６８ｃ）の凸部６８ｆは、ギヤボックス８３の当接部８３ｄに下側から当接して、付勢バネ６８のストロークが自然長よりも長い状態に保持されている。また、このとき、取付板６８ｃのスライド孔６８ｅの内部において、可動ベース部６４の背面に固定された係止部材６４ｄの係止ピン６４ｅ，６４ｅが、そのスライド孔６８ｅの上端および下端のいずれにも当接しないように遊挿された状態になっている。つまり、可動ベース部６４には、付勢バネ６８による上方への引っ張り力（付勢力）が作用していない状態となっている。
【００６３】
つまり、このような可動ベース部６４（第１可動部６１）が第１位置Ｐ１と係止位置ＰＫとの間の範囲にある場合において、可動ベース部６４に固定された係止部材６４ｄに付勢バネ６８の他端６８ｂ（取付板６８ｃ）が係止されないことによりその付勢バネ６８による付勢力が可動ベース部６４に作用しない状態になっている。すなわち、可動ベース部６４（第１可動部６１）が第１位置Ｐ１に有る場合において、係止部材６４ｄの係止ピン６４ｅ，６４ｅが、スライド孔６８ｅの上端および下端のいずれにも当接しない範囲（可動ベース部６４（第１可動部６１）が第１位置Ｐ１と係止位置ＰＫとの間に位置する範囲）で、可動ベース部６４（第１可動部６１）を所定ストローク移動させる演出を行うことができるようになっている。
【００６４】
したがって、付勢バネ６８による付勢力が第１可動部材６０に作用しない範囲で、第１可動部材６０を駆動機構により往復移動させることで、従来技術のような付勢バネによる付勢力が常時作用している場合と比べて、可動演出装置５０の耐久性を向上させつつ、可動演出装置５０による様々な演出効果を奏することができ遊技性を高めることが可能である。
【００６５】
尚、付勢バネ６８による付勢力が第１可動部材６０に作用しない範囲でその第１可動部材６０を往復移動させる距離が、駆動機構が備えるピニオン６６ｄなどのギヤの歯部とラック部６４ｃなどのラックの歯部とのバックラッシ（互いに嵌り合って運動する機械要素の間に、運動方向に設けた隙間）の範囲内である構成にすると良い。このような構成によれば、ギヤやラックの歯部の摩耗（消耗）を低減しつつ、第１可動部材６０を例えばガタガタと上下に移動（揺動）させることができる。
【００６６】
図１２は、図１１の状態から第１可動部材６０が更に下方に移動することにより、可動ベース部６４に設けられた係止部材６４ｄの下側の係止ピン６４ｅが、付勢バネ６８の下端に取り付けられた取付板６８ｃのスライド孔６８ｅの下端に当接した係止位置ＰＫにある状態の第１可動部材６０を示している。そして、この係止位置ＰＫから更に、第１可動部材６０が下方に移動することで、付勢バネ６８による上方への引っ張り力（付勢力）が第１可動部材６０（可動ベース部６４）に作用することになる。
【００６７】
図１３は、図１２の状態から第１可動部材６０が更に下方に移動することにより、第２可動部６２に設けられた係止部材６２ｃの下側の係止ピン６２ｄが、フレーム部材６９のガイド部６９ａのスライド孔６９ｃの下端に当接した第５位置Ｐ５にある状態の第２可動部６２を示している。そして、この第２可動部６２が第５位置Ｐ５にある状態（すなわち第２可動部６２が下方への移動が規制された状態）から可動ベース部６４（第１可動部６１）が更に下方に移動することにより、第１可動部６１は、停止された状態の第２可動部６２に対して更に下方へと移動することになる。つまり、第２可動部６２は、その第３連結部６２ｂを介して第１可動部６１に載った状態から、フレーム部材６９のガイド部６９ａのスライド孔６９ｃの下端に載った状態へと移載されることになる。
【００６８】
図１４は、図１３の状態から可動ベース部６４（第１可動部６１）が更に下方に移動することにより、第１可動部６１の第１連結部６１ｃが、下方への移動が規制された状態（停止状態）の第２可動部６２の第２連結部６２ａに上方から当接した状態を示している。
【００６９】
図１５は、図１４の状態から可動ベース部６４（第１可動部６１）だけが更に所定の距離で下方に移動することで、第１連結部６１ｃと第３連結部６２ｂが離れ、その後第１連結部６１ｃが第２連結部６２ａに当接した状態を示している。このとき、第１可動部６１は、その第１連結部６１ｃが停止状態の第２可動部６２の第２連結部６２ａに連結された状態で、第２可動部６２に対して下方向（第２可動部６２に対して離間する方向：第２可動部材７０側）に移動することにより、第１連結部６１ｃと第２連結部６２ａの引き合い力が作用することによって、第１可動部６１は、上端のヒンジ部６１ａを介して、可動ベース部６４に対して平行な第１姿勢Ｓ１から、可動ベース部６４に対して下側が開くように傾斜した第２姿勢Ｓ２へと変位される。
【００７０】
このとき、図示されるように、第２可動部材７０が第１可動部６１に接近するように下方から上方に向かって移動してきているが、第１可動部６１が第１姿勢Ｓ１から第２姿勢Ｓ２へと変位されているので、第１可動部６１と第２可動部材７０との干渉が避けられるようになっている。このように構成することで、第１可動部６１と第２可動部材７０を正面側から見ると、重なる範囲ができているが、第１可動部６１が第１姿勢Ｓ１から第２姿勢Ｓ２へと変位することで互いに支障のない動きをすることができ、更に立体的な動作形態を構成することが可能である。
【００７１】
このように、第１可動部６１が第２可動部材７０との干渉を避けるように変位することで、このような二つの部材が接近するように同時に移動された場合でも、互いに干渉することが防止されており、従来にない演出を行うことが可能となっている。
【００７２】
上述した可動演出装置５０によれば、第１可動部材６０が第１位置Ｐ１と係止位置ＰＫの間にあるときには、付勢バネ６８による付勢力が第１可動部材６０に作用しないため、最も大きな駆動力が必要される第１可動部材６０の第１位置Ｐ１から第２位置Ｐ２に向けての動きだしをスムーズにすることが可能である。つまり、駆動機構による第１可動部材６０の第１位置Ｐ１から第２位置Ｐ２に向けての動きだしの際には、付勢バネ６８による反対方向（第２位置Ｐ２から第１位置Ｐ１への方向）への付勢力が作用しない構成になっているので、付勢バネ６８を含めた可動演出装置５０全体の耐久性を向上させることが可能である。
【００７３】
この場合、第１可動部材６０は、その第１可動部材６０の係止部（係止部材６４ｄおよび係止ピン６４ｅ）に付勢バネ６８の他端６８ｂ（取付板６８ｃおよびスライド孔６８ｅ）が係止されないことによりその付勢バネ６８の付勢力が作用しない範囲で移動する第１の移動範囲、すなわち図１１に示される状態にあるときの移動範囲と、付勢バネ６８の付勢力が作用する範囲で移動する第２の移動範囲、すなわち図１２〜図１５に示される状態にあるときの移動範囲が少なくとも含まれるようにした構成になっているので、このような可動部材の第１の移動範囲と第２の移動範囲を組み合わせた種々なる移動範囲内の移動の態様において、可動演出装置５０の耐久性を向上することが可能である。
【００７４】
また、第１可動部材６０が第１位置Ｐ１にある場合において、付勢バネ６８による付勢力が第１可動部材６０に作用しない範囲で、第１可動部材６０を駆動機構により往復移動させることができるので、第１可動部材６０に付勢バネ６８による付勢力が作用することを抑制して可動演出装置５０の耐久性を向上させつつ、付勢バネ６８による付勢力が第１可動部材６０に作用しない範囲で、第１可動部材６０を駆動機構により往復移動させることにより、可動演出装置５０による様々な演出効果を奏することができ遊技性を高めることが可能である。
【００７５】
更に、駆動機構は、ベース部材６５に設けらるモータ８１と、そのモータ８１の回転を伝達するギヤ（スライド部材６６のピニオン６６ｄ）と、第１可動部材６０に設けられギヤ（スライド部材６６のピニオン６６ｄ）に噛み合うラック（ベース部材６５のラック部６６ａ）とから構成されると共に、付勢バネ６８による付勢力が第１可動部材６０に作用しない範囲でその第１可動部材６０を駆動機構により往復移動させる距離が、ギヤ（スライド部材６６のピニオン６６ｄ）の歯部とラック（ベース部材６５のラック部６６ａ）の歯部とのバックラッシの範囲内である構成にすれば、ギヤやラックの歯部の摩耗（消耗）を低減しつつ、可動部材を移動させることができる。
【００７６】
そして、付勢バネ６８の他端６８ｂ（取付板６８ｃ）には凸部６８ｆが突出形成されると共に、ベース部材６５（ギヤボックス８３）には、第１可動部材６０が第１位置Ｐ１にある際の付勢バネ６８の他端他端６８ｂ（取付板６８ｃ）の凸部６８ｆに当接して、その付勢バネ６８を自然長よりも長い状態（第１可動部材６０（可動ベース部６４）の係止部材６４ｄが第１位置Ｐ１と係止位置ＰＫとの間に位置する際に、付勢バネ６８の付勢力が作用しない状態）に保持する当接部８３ｄが突出形成されているので、付勢バネ６８の凸部６８ｆとベース部材６５（ギヤボックス８３）の当接部８３ｄによって第１可動部材６０の第１位置Ｐ１と付勢部材６８による付勢力が作用する開始位置である係止位置ＰＫとの間に所定の間隔を適宜設定することが簡便な構成で可能になっている。
【００７７】
以上本発明に係る遊技機の実施の形態について説明したが、上述した実施の形態に何ら限定されるものではなく、本発明の趣旨を逸脱しない範囲で種々の改変が可能である。例えば、上述した可動演出装置５０は、表示部１７ａの上下に配設された構成を示したが、そのような構成に限るものではなく、上下左右など遊技機１の枠等の配設可能な位置であれば、どこでも良く、上述した実施の形態には限定されない。
【符号の説明】
【００７８】
１：遊技機    ５：遊技盤    ６：遊技領域    １７：表示装置
１７ａ：表示部    ３０：センター役物    ４０：前面側装飾部材
４１：センターベース    ５０：可動演出装置    ６０：第１可動部材
６１：第１可動部    ６１ａ：ヒンジ部    ６１ｂ：バネ係止片
６１ｃ：第１連結部    ６２：第２可動部    ６２ａ：第２連結部
６２ｂ：第３連結部    ６２ｃ：係止部材    ６２ｄ：係止ピン
６３：変位部材    ６４：可動ベース部    ６４ａ：ヒンジ用ピン
６４ｂ：バネ係止片    ６４ｃ：ラック部    ６４ｄ：係止部材
６４ｅ：係止ピン    ６４ｆ：ピン係止孔    ６５：ベース部材
６５ｃ：固定部    ６６：スライド部材    ６７：コイルバネ
６８：付勢バネ    ６８ａ：一端    ６８ｂ：他端    ６８ｃ：取付板
６８ｄ：固定ピン    ６８ｅ：スライド孔    ６８ｆ：凸部
６９：フレーム部材    ６９ａ：ガイド部    ６９ｃ：スライド孔
７０：第２可動部材    ７１：モータ    ８１：モータ
８３：ギヤボックス    ８３ｄ：当接部    Ｐ１：第１位置
Ｐ２：第２位置    Ｐ３：第３位置    Ｐ４：第４位置    Ｐ５：第５位置
ＰＫ：係止位置    Ｓ１：第１姿勢    Ｓ２：第２姿勢
【図１】
0005140137.tif 000002
【図２】
0005140137.tif 000003
【図３】
0005140137.tif 000004
【図４】
0005140137.tif 000005
【図５】
0005140137.tif 000006
【図６】
0005140137.tif 000007
【図７】
0005140137.tif 000008
【図８】
0005140137.tif 000009
【図９】
0005140137.tif 000010
【図１０】
0005140137.tif 000011
【図１１】
0005140137.tif 000012
【図１２】
0005140137.tif 000013
【図１３】
0005140137.tif 000014
【図１４】
0005140137.tif 000015
【図１５】
0005140137.tif 000016
【図１６】
0005140137.tif 000017
【図１７】
0005140137.tif 000018